(57)【特許請求の範囲】
【請求項１】
衛星放送の受信信号を増幅するための増幅器であって、少なくとも一つのチルト回路を有しており、当該チルト回路によるチルト調整の際、チルトポイント及び減衰量を変更できるように構成されていることを特徴とする、チルト回路付き増幅器。
【請求項２】
前記チルト回路は、並列接続された複数のチルトユニットを有しており、それらのチルトユニットのうち、少なくとも一つが開閉スイッチと直列接続されており、当該開閉スイッチの開閉によって、チルトポイントを変更できるように構成されていることを特徴とする、請求項１に記載のチルト回路付き増幅器。
【請求項３】
並列接続された複数のチルトユニットを有し、これらのチルトユニットのうち、少なくとも一つが開閉スイッチと直列接続されており、当該開閉スイッチの開閉によって、チルトポイントを変更できるように構成されていることを特徴とするチルト回路。
【発明の詳細な説明】
【０００１】
【発明の属する技術分野】
本発明は、衛星放送（ＢＳ放送、ＣＳ放送）の受信システムにおいて使用される増幅器に関し、特に、ＢＳ放送のみを受信するシステムにおいても、また、ＢＳ放送とＣＳ放送を受信するシステムにおいても、好適にチルト調整を行うことができる衛星放送受信システム用の増幅器、及び、これを実現するためのチルト回路に関する。
【０００２】
【従来の技術】
同軸ケーブルによって所定の距離を伝送された信号においては、その伝送距離に比例して「損失」が生じることになる。このため、同軸ケーブルを使用した衛星放送の受信システムにおいては、そのような損失（伝送損失）を補償するために、各種の増幅器が使用されている。
【０００３】
現在、市場に供給されている増幅器には、ＢＳ放送信号にのみ対応したもの（ＢＳ用増幅器）や、ＢＳ放送信号だけでなく、ＣＳ放送信号にも対応したもの（ＢＳ・ＣＳ共用増幅器）などがあり、更に、それらの増幅器のなかには、チルト回路を備えたものもある。
【０００４】
チルト回路は、同軸ケーブルの損失周波数特性（伝送損失の大きさは、伝送される信号の周波数によって異なるという性質。周波数が低いほど損失量は小さく、周波数が高いほど損失量は大きくなる。）に応じて、信号の出力レベルを調整できるように構成した回路である。
【０００５】
この損失周波数特性によって周波数間に生じる損失量の落差は、伝送距離の長さに比例して大きくなる。従って、同軸ケーブルによる信号の伝送距離が短い場合にはそれほど問題とならないが、「ビル共聴」と呼ばれる受信システムなどのように、信号の伝送距離が長くなる場合には、損失量の落差が拡大されて、許容範囲を超えてしまうことがある。このような場合、もはやレベル調整を行うことはできなくなってしまう。
【０００６】
チルト回路は、このような問題を回避するためのものであり、伝送損失の小さい低域側信号のレベルが、伝送損失の大きい高域側信号のレベルよりも低くなるように、高域側を基準として低域側を傾斜状に減衰させて出力できるようになっている。従って、このチルト回路を用いれば、伝送後における信号のレベルが一定範囲内に収まるような出力レベル調整（チルト調整）を行うことができる。
【０００７】
ここで、図４を参照しながら、チルト回路を用いた従来のチルト調整の一例について説明する。図４のグラフにおいて、実線は、ＢＳ用増幅器に使用されるチルト回路（ＢＳ用チルト回路）の設定例を示しており、一点鎖線は、ＢＳ・ＣＳ共用増幅器に使用されるチルト回路（ＢＳ・ＣＳ共用チルト回路）の設定例を示している。
【０００８】
具体的には、ＢＳ放送信号は、受信後、コンバータによってＢＳ−ＩＦ信号に変換されるが、このＢＳ−ＩＦ信号の周波数帯は、通常、１０３２ＭＨｚから１３３６ＭＨｚとなっているため、図４のＢＳ用チルト回路においては、ＢＳ−ＩＦ信号の最も低い周波数（１０３２ＭＨｚ）の信号が所定量（ここでは１０ｄＢ）減衰され、最も高い周波数（１３３６ＭＨｚ）の信号はほとんど減衰されないような傾斜（チルトポイント＝１３３６ＭＨｚ、減衰量＝１０ｄＢ）をつけることができる。
【０００９】
ＢＳ−ＩＦ信号が長い距離を伝送されると、低域側（１０３２ＭＨｚ〜）の信号よりも、高域側（〜１３３６ＭＨｚ）の信号において大きな損失が生じることになるが、上記のようなチルト調整を行った上で伝送された場合、周波数間に生じる損失量の差を小さくすることができる。
【００１０】
一方、ＣＳ放送信号は、受信後、コンバータにより、システムに応じた周波数帯（例えば、９５０ＭＨｚから２１５０ＭＨｚ）のＣＳ−ＩＦ信号に変換される。そして、ＢＳ・ＣＳ共用チルト回路においては、そのようなＣＳ−ＩＦ信号だけでなく、下限が１０３２ＭＨｚであるＢＳ−ＩＦ信号にも対処する必要があるため、９５０ＭＨｚから２１５０ＭＨｚという、広い周波数帯においてチルト調整を行うことができるようになっている。
【００１１】
より詳細には、図４に示すように、ＢＳ・ＣＳ共用チルト回路においては、最も低い周波数（９５０ＭＨｚ）の信号が所定量（ここでは１０ｄＢ）減衰され、最も高い周波数（２１５０ＭＨｚ）の信号はほとんど減衰されないような傾斜（チルトポイント＝２１５０ＭＨｚ、減衰量＝１０ｄＢ）をつけることができるようになっている。
【００１２】
尚、上記の例では、ＢＳ用チルト回路、ＢＳ・ＣＳ共用チルト回路のいずれにおいても、低域側の信号が１０ｄＢ減衰された状態が示されているが、通常は、この減衰量に固定されている訳ではなく、信号の伝送距離に応じて適宜スイッチを切り換えることにより、低域側の信号の減衰量が、例えば０ｄＢ、３ｄＢ、６ｄＢ、９ｄＢ、若しくは、１２ｄＢなどとなるように、選択的に設定できるようになっており、又は、連続可変回路により、所定の範囲内（例えば、０〜１５ｄＢの範囲内）で、任意の減衰量に設定できるように構成されている。
【００１３】
【発明が解決しようとする課題】
上記のような従来の増幅器のうち、ＢＳ・ＣＳ共用チルト回路を備えた増幅器は、ＢＳ放送の受信システム（ＣＳ放送を受信しないシステム）に使用する場合に、調整作業が難しいという問題がある。
【００１４】
具体的に説明すると、この場合に伝送対象となるＢＳ−ＩＦ信号は、周波数帯が１０３２ＭＨｚから１３３６ＭＨｚであり、ここで必要となるチルト調整は、伝送後における低域側（１０３２ＭＨｚ〜）の信号レベルと高域側（〜１３３６ＭＨｚ）の信号レベルの差を小さくするためのものであるところ、ＢＳ・ＣＳ共用チルト回路は、２１５０ＭＨｚを基準（チルトポイント）として、低域側を傾斜状に減衰させるものであるため、ＢＳ−ＩＦ信号のうち、最も高い周波数の信号（１３３６ＭＨｚ）までもが、不必要に減衰されてしまうことになる。
【００１５】
例えば、図４に示したように、１０３２ＭＨｚの信号を１０ｄＢ減衰させようとする場合、１３３６ＭＨｚの信号は、５ｄＢも減衰されてしまうことになる。増幅器というのは、伝送損失を見越して、伝送しようとする信号を予め高いレベルに増幅して出力するためのものであるのに、チルト調整によって全体的に出力レベルが減衰されてしまうとすると、増幅器としての機能が損なわれ、充分にその機能を発揮させることができなくなってしまうという問題がある。
【００１６】
また、ＢＳ・ＣＳ共用チルト回路は、広い周波数帯においてチルト調整を行えるように設定されているため、減衰量の傾斜角度を大きくすることが難しいという問題がある。
【００１７】
本発明は、上記のような従来技術の問題点を解消すべくなされたものであって、汎用性のあるチルト回路を有し、伝送すべき信号の周波数帯、及び、伝送距離に応じて、最適なチルト調整を柔軟に行うことができるチルト回路、及び、これを内蔵した増幅器を提供することを目的とする。
【００１８】
【課題を解決するための手段】
本発明のチルト回路付き増幅器は、少なくとも一つのチルト回路を有しており、このチルト回路によるチルト調整の際、チルトポイント（高域側において傾斜の基準となる点）及び減衰量を変更できるように構成されていることを特徴としている。
【００１９】
尚、このチルト回路は、並列接続された複数のチルトユニットを有し、それらのチルトユニットのうち、少なくとも一つが開閉スイッチと直列接続され、当該開閉スイッチの開閉によって、チルトポイントを変更できるように構成されていることが好ましい。
【００２０】
【発明の実施の形態】
以下、図面を参照しながら本発明の実施形態について説明する。図１は、本発明の第１の実施形態に係るチルト回路付き増幅器１の構成図である。この図において、２は入力端子、３は出力端子、４は増幅回路、５はＢＳ用チルト回路、６はＢＳ・ＣＳ共用チルト回路である。
【００２１】
ＢＳ用チルト回路５は、ＢＳ−ＩＦ信号の周波数帯に合わせて、最も高い周波数（１３３６ＭＨｚ）を基準（チルトポイント）として、低域側（１０３２ＭＨｚ〜）を傾斜状に減衰できるようになっており、その減衰量（チルト量）は、ボリュームつまみを操作することによって、例えば、０〜２０ｄＢの範囲で任意に調整することができるようになっている。
【００２２】
また、ＢＳ・ＣＳ共用チルト回路６は、ＢＳ−ＩＦ信号及びＣＳ−ＩＦ信号の周波数帯に合わせて、最も高い周波数（２１５０ＭＨｚ）を基準として、低域側（９５０ＭＨｚ〜）を傾斜状に減衰できるようになっており、このＢＳ・ＣＳ共用チルト回路６においても、ボリュームつまみを操作することによって、減衰量を例えば０〜２０ｄＢの範囲で任意に調整することができるようになっている。
【００２３】
そして、本実施形態における増幅器１は、増幅回路４と出力端子３との間に、ＢＳ用チルト回路５とＢＳ・ＣＳ共用チルト回路６が、直列状に配置されているため、ＢＳ放送とＣＳ放送を受信できるシステムにおいて使用する場合はもちろんのこと、ＢＳ放送のみを受信するシステムにおいて使用する場合であっても、最適なチルト調整を行うことができる。
【００２４】
具体的には、ＢＳ放送とＣＳ放送を受信できるシステムにおいて使用する場合には、ＢＳ用チルト回路５の減衰量を「０ｄＢ」に設定し、ＢＳ・ＣＳ共用チルト回路６の減衰量を、信号の伝送距離に応じて所望の値に設定することにより、チルトポイントを２１５０ＭＨｚとすることができ、この周波数を基準として、低域側（９５０ＭＨｚ〜）の信号を傾斜状に減衰させて出力することができる。
【００２５】
一方、ＢＳ放送のみを受信するシステムにおいて使用する場合には、ＢＳ用チルト回路５の減衰量を、信号の伝送距離に応じて所望の値に設定し、ＢＳ・ＣＳ共用チルト回路６の減衰量を「０ｄＢ」に設定することにより、チルトポイントを１３３６ＭＨｚとすることができ，この周波数を基準として、低域側（９５０ＭＨｚ〜）の信号を傾斜状に減衰させることができる。
【００２６】
このように、本実施形態における増幅器１は、チルトポイントの異なる二種類のチルト回路（ＢＳ用チルト回路５、及び、ＢＳ・ＣＳ共用チルト回路６）を直列に配置してなるものであり、それぞれの減衰量を調整することにより、チルトポイント、及び、減衰量を、必要に応じて適宜変更することができ、信号の種類及び伝送距離に応じて、好適な傾斜をつけて信号を出力させることができる。
【００２７】
次に、本発明の第２の実施形態について説明する。図２は本発明の第２の実施形態に係るチルト回路付き増幅器１の構成図である。この図において、２は入力端子、３は出力端子、４は増幅回路、７はチルト回路である。
【００２８】
本実施形態において用いられるチルト回路７は、図３に示すように、複数のチルトユニット８（第１のチルトユニット８ａ、第２のチルトユニット８ｂ、第３のチルトユニット８ｃ、第４のチルトユニット８ｄ）を有しており、これら複数のチルトユニット８によって、チルトポイントを適宜変更できるようになっている。
【００２９】
より詳細には、複数のチルトユニット８のうち、第４のチルトユニット８ｄだけは、図示されているように、開閉スイッチ１０と直列接続されており、この開閉スイッチ１０を開いて本線１１と第４のチルトユニット８ｄとの接続を断った場合（ＯＦＦ状態）には、１３３６ＭＨｚをチルトポイントとして、低域側（９５０ＭＨｚ〜）を傾斜状に減衰できるようになっており、一方、開閉スイッチ１０を閉じて本線１１と第４のチルトユニット８ｄとを導通状態とした場合（ＯＮ状態）には、２１５０ＭＨｚをチルトポイントとして、低域側（９５０ＭＨｚ〜）を傾斜状に減衰できるようになっている。
【００３０】
そして、開閉スイッチ１０が「ＯＮ」、「ＯＦＦ」いずれの状態であっても、可変抵抗器９のボリュームつまみを操作することによって、低域側（９５０ＭＨｚ〜）の信号の減衰量を、例えば０〜２０ｄＢの範囲で任意に調整することができるようになっている。
【００３１】
従って、この増幅器１を、ＢＳ放送のみを受信するシステムにおいて使用する場合には、開閉スイッチ１０を開いて「ＯＦＦ状態」にするとともに、信号の伝送距離に応じて可変抵抗器９のボリュームつまみを操作し、低域側の減衰量を所望の値に設定することにより、増幅されるＢＳ−ＩＦ信号の周波数帯（１０３２〜１３３６ＭＨｚ）に合わせ、１３３６ＭＨｚをチルトポイントとして、低域側（９５０ＭＨｚ〜）の信号を傾斜状に減衰させることができる。
【００３２】
一方、この増幅器１を、ＢＳ放送及びＣＳ放送を受信するシステムにおいて使用する場合には、開閉スイッチ１０を閉じて「ＯＮ状態」にするとともに、信号の伝送距離に応じて可変抵抗器９のボリュームつまみを操作することにより、増幅されるＢＳ−ＩＦ信号及びＣＳ−ＩＦ信号の周波数帯（９５０〜２１５０ＭＨｚ）に合わせ、２１５０ＭＨｚをチルトポイントとして、低域側（９５０ＭＨｚ〜）の信号を傾斜状に減衰させることができる。
【００３３】
このように、本実施形態における増幅器１は、ＢＳ放送のみを受信するシステムにおいて使用する場合であっても、また、ＢＳ放送とＣＳ放送を受信できるシステムにおいて使用する場合であっても、開閉スイッチ１０の切り換え（開閉）と、可変抵抗器９のボリュームつまみの操作を行うだけで、簡単に、かつ、好適にチルト調整（チルトポイントの設定・変更、及び、減衰量の調整）を行うことができる。
【００３４】
尚、本実施形態においては、可変抵抗器９のボリュームつまみを操作することによって減衰量の調整を行えるように構成されているが、減衰量調整用のスイッチを設け、これを適宜切り換えることによって、規定の減衰量（例えば、０ｄＢ、３ｄＢ、６ｄＢ、９ｄＢ、１２ｄＢなど）のなかから、所望の値のものを選択的に設定できるように構成することもできる。
【００３５】
【発明の効果】
以上に説明したように、本発明に係るチルト回路、及び、チルト回路付き増幅器は、減衰量だけでなく、チルトポイントをも、伝送される信号の周波数帯に応じて適宜変更、調整することができるので、汎用性が高く、ＢＳ放送とＣＳ放送を受信できるシステムにおいて使用する場合であっても、また、ＢＳ放送のみを受信するシステムにおいて使用する場合であっても、最適なチルト調整を柔軟に行うことができる。
【００３６】
また、簡単な操作のみでチルト調整を行うことができるので、受信システムの施工工事や、増設工事等の円滑化を図ることができ、更に、汎用性があるため、異なる受信システム毎に、複数種類の製品を製造する場合と比べ、製造コストを低減化することができるという利点を有している。
【００３７】
尚、本発明に係るチルト回路は、必ずしもＢＳ放送用の増幅器やＢＳ・ＣＳ共用増幅器に限定して用いられるものではなく、他の増幅器、例えば、ＣＡＴＶの中継増幅器等にも好適に利用することができる。
【図面の簡単な説明】
【図１】  本発明の第１の実施形態に係るチルト回路付き増幅器１の構成図。
【図２】  本発明の第２の実施形態に係るチルト回路付き増幅器１の構成図。
【図３】  図２に示したチルト回路付き増幅器１に使用されるチルト回路７の回路図。
【図４】  従来のチルト回路を用いたチルト調整の設定例を示す図。
【符号の説明】
１：チルト回路付き増幅器、
２：入力端子、
３：出力端子、
４：増幅回路、
５：ＢＳ用チルト回路、
６：ＢＳ・ＣＳ共用チルト回路、
７：チルト回路、
８：チルトユニット、
８ａ：第１のチルトユニット、
８ｂ：第２のチルトユニット、
８ｃ：第３のチルトユニット、
８ｄ：第４のチルトユニット、
９：可変抵抗器、
１０：開閉スイッチ、
１１：本線、
【図１】
0003759464.tif 000002
【図２】
0003759464.tif 000003
【図３】
0003759464.tif 000004
【図４】
0003759464.tif 000005